(57)【要約】【課題】構造が複雑で故障し易い電極や電気部品を一切不要な構造とした有効打判定装置を提供する。【解決手段】拳サポータ３の拳部分に設けられた取付側部材６と、胴部又は頭部の保護防具における有効打となる部位に設けられた受け側部材１１と、取付側部材６及び受け側部材１１に対して着脱自在に係止可能となっており、取付側部材６から受け側部材１１へ移り渡り可能となっている有効打表示体４とを備える。格闘競技中に有効打表示体４が取付側部材６から受け側部材１１へ移り渡ることにより有効打とする。【選択図】図１
2019201756.tif 000002
【特許請求の範囲】
【請求項１】
拳サポータの拳部分に設けられた取付側部材と、
胴部又は頭部の保護防具における有効打となる部位に設けられた受け側部材と、
前記取付側部材及び前記受け側部材に対して着脱自在に係止可能となっており、前記取付側部材から受け側部材へ移り渡り可能となっている有効打表示体とを備え、
格闘競技中に前記有効打表示体が前記取付側部材から受け側部材へ移り渡ることにより有効打の判定指標となることを特徴とする格闘競技の有効打判定装置。
【請求項２】
前記有効打表示体は、前記取付側部材との係止力に対し前記受け側部材との係止力が大きくなっていることを特徴とする請求項１記載の格闘競技の有効打判定装置。
【請求項３】
前記有効打表示体の両面及び前記取付側部材、受け側部材に面ファスナーが取り付けられており、前記有効打表示体における前記取付側部材に臨む面ファスナーの面積に対し、前記受け側部材に臨む面ファスナーの面積が大きくなっていることを特徴とする請求項１又は２記載の格闘競技の有効打判定装置。
【発明の詳細な説明】
【技術分野】
【０００１】
本発明は、空手、テコンドー、ボクシング、キックボクシング等の格闘競技に用いる有効打判定装置に関する。
【背景技術】
【０００２】
格闘競技としての空手やテコンドー等の組手競技においては、寸止めルール以外にハーフコンタクトルール、フルコンタクトルールが採用されている。これらのハーフコンタクトルール、フルコンタクトルールでは、相手の身体部位を打撃することが有効打の判定基準となっている。このような身体部位への打撃では、競技者の怪我を防止するため、打撃力を軽減する必要がある。
【０００３】
身体部位への打撃を軽減するためには、有効打判定を素早く判定する必要がある。このため有効打を電気的に検出することが従来よりなされている。例えば、特許文献１や特許文献２には、頭部や胴部の保護防具における有効打の身体部位に複数の＋、−の電極を配置し、有効打によって電極が接触して電流が流れることを検知することにより有効打と判定する構造が開示されている。
【先行技術文献】
【特許文献】
【０００４】
【特許文献１】特開２０００−４２１６２号公報
【特許文献２】特開平１０−３２５７６３号公報
【発明の概要】
【発明が解決しようとする課題】
【０００５】
しかしながら、従来における有効打の判定では、保護防具に電極を取り付けると共に、この電極と打撃を告知するブザー、ランプや発光体等の電気部品とを電気的に接続する構造とする必要がある。このため構造が複雑となって高価となると共に製造が面倒となる。又、打撃によって電極や電気部品が故障し易いため、使用に際して細心の注意を要し取り扱いが面倒であるばかりでなく、繰り返し使用回数が制限される問題がある。さらに、故障した場合には、電極、電気部品や電気回路を修復するための専門的な技術が必要となる問題を有している。
【０００６】
本発明は、このような従来の問題点を考慮してなされたものであり、構造が複雑で故障し易い電極や電気部品を一切不要な構造としても有効打を確実に判定することが可能な格闘競技の有効打判定装置を提供することを目的とする。
【課題を解決するための手段】
【０００７】
本発明の格闘競技の有効打判定装置は、拳サポータの拳部分に設けられた取付側部材と、胴部又は頭部の保護防具における有効打となる部位に設けられた受け側部材と、前記取付側部材及び前記受け側部材に対して着脱自在に係止可能となっており、前記取付側部材から受け側部材へ移り渡り可能となっている有効打表示体とを備え、格闘競技中に前記有効打表示体が前記取付側部材から受け側部材へ移り渡ることにより有効打の判定指標となることを特徴とする。
【０００８】
この場合、前記有効打表示体は、前記取付側部材との係止力に対し前記受け側部材との係止力が大きくなっていることを特徴とする。
又、前記有効打表示体の両面及び前記取付側部材、受け側部材に面ファスナーが取り付けられており、前記有効打表示体における前記取付側部材に臨む面ファスナーの面積に対し、前記受け側部材に臨む面ファスナーの面積が大きくなっていることを特徴とする。
【発明の効果】
【０００９】
本発明では、有効打表示体が拳サポータから胴部保護防具に移り渡る動作を視認して有効打の判定を行うため、電極や電気回路を接続するという複雑な構造が不要となり、簡単に製造でき、安価とすることができると共に、電気的な故障がなく、そのための修復作業も不要となる。又、有効打表示体の移り渡りを目視で確認できるため、間違いのない判定をすることができる。
【図面の簡単な説明】
【００１０】
【図１】本発明の有効打判定装置の全体を示す側面図である。
【図２】有効打判定装置に用いる拳サポータを示す斜視図である
【図３】有効打判定装置に用いる胴部保護防具を示す斜視図である。
【図４】有効打判定の動作を示す側面図である。
【図５】有効打判定装置に用いる頭部保護防具を示す正面図である。
【発明を実施するための形態】
【００１１】
図１〜図４は、本発明の一実施形態を示す。この実施形態の有効打判定装置１は胴部保護防具２を用いるものである。図１に示すように、有効打判定装置１は拳サポータ３と、胴部保護防具２と、有効打表示体４とを備えている。
【００１２】
図１及び図２に示すように、拳サポータ３は競技者の手に装着されるサポータ本体５と、サポータ本体５に取り付けられた取付側部材６とを備えている。
サポータ本体５は布、発泡樹脂、ゴムや皮等の可撓性素材によって形成されており、内部にはクッション材が適宜、入れ込まれている。サポータ本体５は手に装着したとき、拳部分を覆う大きさ及び形状となっている。サポータ本体５の掌側の面には、競技者の親指を除く４本の指及び掌が差し込まれる差し込みリング７が設けられており、これらの差し込みリング７に指、掌を差し込むことによりサポータ本体５（拳サポータ３）が競技者の手に装着される。この装着状態で拳を握ると、サポータ本体５は拳部分を覆うようになる。
【００１３】
取付側部材６はサポータ本体５と同様な可撓性素材によって形成されており、サポータ本体５における甲側の面に縫い付けや接着によって取り付けられる。取付側部材６は拳を握ったとき甲側の面における拳部分に位置するように設けられている。この取付側部分６の前面には、係止部材としての取付側の面ファスナー８が縫い付けや接着によって取り付けられている。取付側の面ファスナー８は後述する有効打表示体４を着脱自在に係止するものである。
【００１４】
胴部保護防具２は競技者の胴部に装着される。図３に示すように、胴部保護防具２は競技者の身体のほぼ前面部分を覆う防具本体１０と、防具本体１０に取り付けられた受け側部材１１とを備えている。
防具本体１０はサポータ本体５と同様に布、発泡樹脂、ゴムや皮等の可撓性素材によって形成されており、内部にはクッション材が適宜、入れ込まれている。防具本体１０は競技者の胸部分、腹部分、脇腹部分を覆う形状に形成されている。防具本体１０の両側のショルダー部には紐体２が取り付けられると共に、左右の脇腹部には紐体１２が挿通するリング１３が取り付けられており、紐体１２をリング１３に挿通させて端部を結ぶことにより防具本体１０が競技者に装着される。
【００１５】
受け側部材１１は防具本体１０と同様な可撓性素材によって形成されており、防具本体１０の所定箇所に縫い付けや接着によって取り付けられる。受け側部材１１は有効打に対応した部位に位置するように設けられるものであり、図示例では、胸部、鳩尾、左右の横腹の４箇所に対応して設けられている。それぞれの受け側部材１１の前面には、係止部材としての受け側の面ファスナー１４が縫い付けや接着によって取り付けられている。受け側の面ファスナー１４は打撃によって有効打表示体４が同ファスナー１４に当接したとき、有効打表示体４を着脱自在に係止するものである。
【００１６】
有効打表示体４は図１及び図４に示すように、布、発泡樹脂、ゴムや皮等の可撓性素材によって形成された表示本体１５と、表示本体１５の前後の両面に取り付けられた係止部材としての第１の面ファスナー１６及び第２の面ファスナー１７とを備えている。
表示本体１５は矩形の平面形状に形成されている。表示本体１５は目視によって有効打と判定できる程度の大きさに形成される。例えば、縦３〜５ｃｍ、横５〜８ｃｍ程度の大きさとすることができる。表示本体１５としては、有効打の判定を明確に視認するため、赤、青等のカラーを全体に施しても良い。
【００１７】
第１の面ファスナー１６及び第２の面ファスナー１７は表示本体１５の両面に縫い付けや接着によって取り付けられている。第１の面ファスナー１６は表示本体１５における受け側部材１１に臨む面に取り付けられ、第２の面ファスナー１７は表示本体１５における取付側部材６に臨む面に取り付けられている。
【００１８】
有効打表示体４は競技開始時には係止力によって拳サポータ３の取付側部材６に取り付けられているが、競技中における胴部保護防具２への打撃があると、その打撃箇所との係止力によって受け側部材１１に移り渡るように動作する。この打撃による移り渡りを行うため、取付側部材６との係止力に対し、受け側部材１１との係止力が大きくなるように
設定されている。
この実施形態において、取付側部材に臨む第２の面ファスナー１７の面積に対し、受け側部材１１に臨む第１の面ファスナー１６の面積を大きくすることにより上述した係止力の大小が設定されている。
【００１９】
図４は、格闘競技における有効打の判定動作を示す。
格闘競技の開始当初では、図４（Ａ）で示すように、有効打表示体４を拳サポータ３に取り付けておく。この取り付けは、有効打表示体４における第２の面ファスナー１７を拳サポータ３における取付側部材６の取付側の面ファスナー８に係止させることによりなされる。
【００２０】
格闘競技中における有効打は胴部保護防具２の受け側部材１１への打撃の有無によって決定される。図４（Ｂ）で示すように、胴部保護防具２のいずれかの受け側部材１１に対して拳サポータ３が打撃すると、当初は拳サポータ３の取付側部材６に係止されていた有効打表示体４が図４（Ｃ）で示すように、打撃された胴部保護防具２の受け側部材１１に移り渡る。すなわち、拳サポータ３の打撃によって第１の面ファスナー１６が受け側部材１１に当接することにより、第１の面ファスナー１６と受け側部材１１の受け側の面ファスナー１４とが係止状態となり、有効打表示体４が拳サポータ３から離れて胴部保護防具２の受け側部材１１に移り渡るように動作する。これは、有効打表示体４の第１の面ファスナー１６が第２の面ファスナー１７よりも面積が大きく係止力が大きいためである。そして、この有効打表示体４の移り渡りを有効打の判定指標とすることができる。
【００２１】
このような実施形態では、有効打表示体４が拳サポータ３から胴部保護防具２に移り渡る動作を視認して有効打の判定を行うため、電極や電気回路を接続する複雑な構造が不要となり、簡単に製造でき、安価とすることができると共に、電気的な故障がなく、そのための修復作業も不要となる。又、有効打表示体４の移り渡りを目視で直に確認できるため、間違いのない有効打の判定をすることができる。又、有効打の判定を素早く行うことができるため、競技者への打撃を軽減でき、怪我の発生を防止できる。
【００２２】
図５は頭部保護防具２１への適用を示す。頭部保護防具２１は面フォーとして格闘競技に使用される防具である。頭部保護防具２１は透明プラスチックによって競技者の頭、顔の前面を覆う形状に形成される。目との対応部分には、覗き窓２２が開口されている。又、防具の内部には、適宜、クッション体２２が設けられている。
【００２３】
頭部保護防具２１においては、鼻下部分及び左右のこめかみ部分が有効打となる部位であり、この部位に受け側部材１１が接着等によって取り付けられている。受け側部材１１は図１、図２、図４に示すと同様に、面ファスナー２４が縫い付け等によって取り付けられている。
頭部保護防具２１に対し、拳サポータ３及び有効打表示体４は図１、図２、図４と同様のものが用いられる。このような構造では、有効打表示体４における第１面ファスナー１６は頭部保護防具２１側の面ファスナー２４に臨み、第２面ファスナー１７は拳サポータ３側の取付側部材６に臨むものである。これにより有効打があると、有効打表示体４は拳サポータ３から頭部保護防具２１の面ファスナー２４に移り渡るため、有効打の判定指標とすることができる。
【００２４】
この頭部保護防具２１を用いる場合においても、電極や電気回路を接続する複雑な構造が不要となり、簡単に製造でき、安価とすることができると共に、電気的な故障がなく、そのための修復作業も不要となる。又、有効打表示体４の移り渡りを目視で直に確認できるため、間違いのない判定を素早く行うことができる。このように有効打の判定を素早く行うことができるため、競技者への打撃を軽減でき、怪我の発生を防止できる。
【００２５】
以上の実施形態では、面ファスナーの面積の大小によって有効打表示体の移り渡りを行なう構造としているが、面ファスナーのフック及びループの長さや密度を変更して係止力の大小を設定することにより有効打表示体の移り渡りを行なうようにしても良い。又、面ファスナー以外の手段、例えば、磁力の異なる磁石片を埋め込んで係止力の大小を設定して有効打表示体４の移り渡りを行う構造としても良い。
【符号の説明】
【００２６】
１  有効打判定装置
２  胴部保護防具
３  拳サポータ
４  有効打表示体
６  取付側部材
８  取り付け側の面ファスナー
１１  受け側部材
１４  受け側の面ファスナー
１６  第１の面ファスナー
１７  第２の面ファスナー
２１  頭部保護防具
【図１】
2019201756.tif 000003
【図２】
2019201756.tif 000004
【図３】
2019201756.tif 000005
【図４】
2019201756.tif 000006
【図５】
2019201756.tif 000007
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
拳サポータの拳部分に設けられた取付側部材と、
胴部又は頭部の保護防具における有効打となる部位に設けられた受け側部材と、
前記取付側部材及び前記受け側部材に対して着脱自在に係止可能となっており、前記取付側部材から受け側部材へ移り渡り可能となっている有効打表示体とを備え、
格闘競技中に前記有効打表示体が前記取付側部材から受け側部材へ移り渡ることにより有効打の判定指標となることを特徴とする格闘競技の有効打判定装置において、
前記取付側部材、受け側部材に面ファスナーが取り付けられ、
前記有効打表示体は、縦３〜５ｃｍ、横５〜８ｃｍの範囲の大きさの矩形の平面形状に形成された可撓性素材からなる表示本体と、前記表示本体における前記受け側部材に臨む面に取り付けられた第１の面ファスナーと、前記表示本体における前記取付側部材に臨む面に取り付けられた第２の面ファスナーと、を備え、前記第２の面ファスナーが前記第１の面ファスナーよりも面積が小さくなっており、前記第２の面ファスナーは前記表示本体の面の中央部分に位置し、前記表示本体の全体に明確に視認できるカラーが施されていることを特徴とする格闘競技の有効打判定装置。